(57)【要約】【課題】透水性を維持するための定期的なメンテナンスを行う必要のない地下浸透型水路ブロックおよびそれを用いた水路を提供する。【解決手段】雨水等の水Ｗが水路１４に流れて地下浸透型水路ブロック１を通過すると、一部の水Ｗは開口９から礫層１２を透り、溝Ｍの底から地下Ｕへと浸透していく。導水路１３は開口９に向かって幅寸法が徐々に小さくなっているため、水Ｗは導水路１３を流れるにつれて、その流れが速くなり、開口９の上を勢いよく流れる。従って、水ＷにヘドロやゴミＧが含まれていても、ヘドロやゴミＧは水Ｗとともに下流へ流されるため、礫層１２に堆積することはない。【選択図】        図７
2015031130.tif 000002
【特許請求の範囲】
【請求項１】
両側壁と底壁とを有する地下浸透型水路ブロックにおいて、前記底壁に形成される開口と、前記底壁から立ち上がる立ち上がり部によって形成され前記開口へ向かって幅寸法が徐々に小さくなる導水路とを備えたことを特徴とする地下浸透型水路ブロック。
【請求項２】
請求項１に記載した地下浸透型水路ブロックにおいて、導水路の底部の開口側端部を開口の上面より高い位置に備えたことを特徴とする地下浸透型水路ブロック。
【請求項３】
請求項１または２に記載した地下浸透型水路ブロックにおいて、底壁の下面には開口の縁に沿い、且つ下方へ突出する補強部が形成されていることを特徴とする地下浸透型水路ブロック。
【請求項４】
請求項１から３のいずれかに記載した地下浸透型水路ブロックが、地面を掘って形成された溝に備えられて成る水路において、前記溝の底には礫が敷かれて透水性を有する礫層が形成され、前記礫層に前記地下浸透型水路ブロックが設置されていることを特徴とする水路。
【請求項５】
請求項４に記載した水路において、両側壁と底壁とから成り、透水性を有しない非透水型水路ブロックが地下浸透型水路ブロックに連結されていることを特徴とする水路。
【発明の詳細な説明】
【技術分野】
【０００１】
本発明は地下浸透型水路ブロックおよびそれを用いた水路に係り、特に水路を流れる雨水等の一部を地下に浸透させる地下浸透型水路ブロックおよびそれを用いた水路に関するものである。
【背景技術】
【０００２】
近年都市化が進むにつれ、道路や建物周辺の地面の舗装化が進んでいる。従って、雨水等の大半が地面から地下へ浸透することなく、側溝等の水路を通って海へ放流されてしまう。その結果、地下水の枯渇を引き起こし、地盤沈下等の原因となっている。
一方、水が地面から地下へ浸透しないと、その分水路を流れる水の量が増加する。特に昨今は異常気象による大雨が増加しているため、益々水路を流れる水の量が増加して排水される量を超えてしまい、水路から水が溢れて洪水等を引き起こす原因となっている。
そこで、従来から水路を流れる雨水等の水の一部を地下に浸透させることができる地下浸透型水路ブロックおよびそれを用いた水路が提案されている。
【０００３】
このような地下浸透型水路ブロックおよびそれを用いた水路としては、例えば特許文献１に開示されているものがある。この地下浸透型水路ブロックは両側壁と底壁とによって断面Ｕ字型に形成されている。底壁は透水性を有するポーラスコンクリート製であり、水路内を流れる水の一部が底壁を透って地下へ浸透する。底壁はドロやゴミによって目詰まりを起こしてしまうので交換できるようになっている。
【先行技術文献】
【特許文献】
【０００４】
【特許文献１】特開２００２−２４２２８８号公報
【発明の概要】
【発明が解決しようとする課題】
【０００５】
しかしながら、上記従来の地下浸透型水路ブロックおよび水路は、その透水性を維持するために底壁を交換する必要があり、定期的なメンテナンスを行わなければならないという問題がある。
【０００６】
本発明は上記従来の問題に着目して為されたものであり、透水性を維持するための定期的なメンテナンスを行う必要のない地下浸透型水路ブロックおよびそれを用いた水路の提供を、その目的とする。
【課題を解決するための手段】
【０００７】
本発明は上記課題を解決するためになされたものであり、請求項１の発明は、両側壁と底壁とを有する地下浸透型水路ブロックにおいて、前記底壁に形成される開口と、前記底壁から立ち上がる立ち上がり部によって形成され前記開口へ向かって幅寸法が徐々に小さくなる導水路とを備えたことを特徴とする地下浸透型水路ブロックである。
【０００８】
請求項２の発明は、請求項１に記載した地下浸透型水路ブロックにおいて、導水路の底部の開口側端部を開口の上面より高い位置に備えたことを特徴とする地下浸透型水路ブロックである。
【０００９】
請求項３の発明は、請求項１または２に記載した地下浸透型水路ブロックにおいて、底壁の下面には開口の縁に沿い、且つ下方へ突出する補強部が形成されていることを特徴とする地下浸透型水路ブロックである。
【００１０】
請求項４の発明は、請求項１から３のいずれかに記載した地下浸透型水路ブロックが、地面を掘って形成された溝に備えられて成る水路において、前記溝の底には礫が敷かれて透水性を有する礫層が形成され、前記礫層に前記地下浸透型水路ブロックが設置されていることを特徴とする水路である。
【００１１】
請求項５の発明は、請求項４に記載した水路において、両側壁と底壁とから成り、透水性を有しない非透水型水路ブロックが地下浸透型水路ブロックに連結されていることを特徴とする水路である。
【発明の効果】
【００１２】
本発明の地下浸透型水路ブロックおよびそれを用いた水路によれば、雨水等を地下へ浸透させる透水性を維持するための定期的なメンテナンスを行う必要がなくなる。
【図面の簡単な説明】
【００１３】
【図１】本発明の第一の実施の形態に係る地下浸透型水路ブロックの一部破断斜視図である。
【図２】図１の地下浸透型水路ブロックの平面図である。
【図３】水路をつくるため図１の地下浸透型水路ブロックを配設する溝の平面図である。
【図４】図３のＡ−Ａ断面図である。
【図５】図１の地下浸透型水路ブロックを用いた水路の構成を説明するための平面図である。
【図６】図５のＢ−Ｂ断面図である。
【図７】図１の地下浸透型水路ブロックを用いた水路における水の流れを説明するための平面図である。
【図８】図７のＣ−Ｃ断面図である。
【図９】本発明の第二の実施の形態に係る地下浸透型水路ブロックを用いた水路において、水の流れを説明するための断面図である。
【図１０】本発明の第三の実施の形態に係る地下浸透型水路ブロックの下面側を示す斜視図である。
【図１１】図８のＤ−Ｄ断面図である。
【発明を実施するための形態】
【００１４】
図１から図６によって本発明の第一の実施の形態に係る地下浸透型水路ブロック１を説明する。
符号３は水路ブロック本体を示し、この水路ブロック本体３は左右の側壁５と底壁７とを有しており、正面視略Ｕ字型に形成されている。底壁７には方形の開口９が形成されており、この開口９はやや後寄りに備えられている。
底壁７の上面には一対の立ち上がり部１１が形成され、この一対の立ち上がり部１１と底壁７に囲まれた領域に導水路１３が形成されている。導水路１３は水路ブロック本体３の前端部から開口９の縁に連なっている。一対の立ち上がり部１１は平面視ハの字型を為しており、導水路１３は開口９に向かって幅寸法が徐々に小さくなっている。
【００１５】
地下浸透型水路ブロック１を用いた水路１４の施工方法について説明する。
図３、４に示すように、地面に溝Ｍを掘り、溝Ｍの底の所定箇所を多少深く掘って、この深く掘った箇所に礫としての４号単粒度程度の砕石Ｓを敷いて礫層１２を形成する。この礫層１２を形成する箇所は後述する地下浸透型水路ブロック１の開口９が対応する部分である。次いで、溝Ｍの底の礫層１２の部分を除いて捨てコンクリートＣを打設する。この捨てコンクリートＣを打設することによって溝Ｍの水平、傾斜を調整する。
【００１６】
溝Ｍの捨てコンクリートＣ上には地下浸透型水路ブロック１と、非透水型水路ブロック１５を設置する。非透水型水路ブロック１５は底壁８と側壁１０とから成り正面視Ｕ字型で開口９と立ち上がり部１１を有しておらず、透水性を有していないものである。地下浸透型水路ブロック１の間には２つの非透水型水路ブロック１５を配設する。地下浸透型水路ブロック１と非透水型水路ブロック１５、非透水型水路ブロック１５どうしをそれぞれ互いに連結して水路１４を形成する。地下浸透型水路ブロック１は開口９が礫層１２に対応するように備える。従って、開口９からは礫層１２が露出している。
礫層１２の砕石Ｓの間には隙間が形成されているため、礫層１２は透水性を有している。従って、地下浸透型水路ブロック１の内面は開口９と礫層１２を介して溝Ｍの底に連通している。
【００１７】
地下浸透型水路ブロック１の水路１４に水Ｗが流れる様子について説明する。
図７、図８において矢印に示すように、雨水等の水Ｗが水路１４に流れて地下浸透型水路ブロック１を通過すると、一部の水Ｗは開口９から礫層１２を透り、溝Ｍの底から地下Ｕへと浸透していく。
図７の矢印に示すように、導水路１３は開口９に向かって幅寸法が徐々に小さくなっているため、水Ｗは導水路１３を流れるにつれて、その流れが速くなり、開口９の上を勢いよく流れる。従って、水ＷにヘドロやゴミＧが含まれていても、ヘドロやゴミＧは水Ｗとともに下流へ流されるため、礫層１２に堆積することはない。
【００１８】
また、水路１４を流れる水Ｗが少ないときなどにおいて、礫層１２にヘドロやゴミＧが堆積してしまったとしても、水路１４を流れる水Ｗが多くなれば、導水路１３によって流れが速くなった水Ｗによって堆積したヘドロやゴミＧが下流へ押し流される。従って、礫層１２に堆積したヘドロやゴミＧを取り除くことができ、礫層１２が目詰まりするのを防止することができる。
このように、地下浸透型水路ブロック１を用いた水路１４によれば、雨水等を地下へ浸透させる透水性を維持するための、定期的なメンテナンスを行なう必要がなくなる。
【００１９】
図９によって本発明の第二の実施の形態に係る地下浸透型水路ブロック１７を説明する。
地下浸透型水路ブロック１７は第一の実施の形態に係る地下浸透型水路ブロック１と同様の構成部分を有するので、同様の構成部分については地下浸透型水路ブロック１と同じ符号を付し、その説明を省略する。
符号１９は導水路１３の底部を示し、この底部１９は開口９の上面より高い位置に備えられている。底部１９の前端部２０は導水路１３の前端部から上り勾配となっている。底部１９の開口側端部２１は開口９の上面より高い位置に備えられ、開口９との間に段差２３が形成されている。
【００２０】
地下浸透型水路ブロック１７を用いた水路２４に水Ｗが流れる様子について説明する。
水Ｗが導水路１３を流れると、その流れが速くなり、開口９の上を勢いよく流れる。底部１９の開口側端部２１は開口９の上面より高い位置に備えられているため、水Ｗは開口９より高い位置で勢いよく流れることになる。従って、水ＷにヘドロやゴミＧが含まれていても、礫層１２に堆積することはない。
【００２１】
図１０、１１によって本発明の第三の実施の形態に係る地下浸透型水路ブロック２５を説明する。
地下浸透型水路ブロック２５は第一の実施の形態に係る地下浸透型水路ブロック１と同様の構成部分を有するので、同様の構成部分については地下浸透型水路ブロック１と同じ符号を付し、その説明を省略する。
底壁７の下面に、開口９の縁に沿って下方へ突出する凸状部から成る補強部２７が形成されている。従って、開口９の縁に亀裂が入るのを防止することができ、更に底壁７全体の強度が大きくなる。
【００２２】
以上、本発明の実施の形態について詳述してきたが、具体的構成は、この実施の形態に限られるものではなく、本発明の要旨を逸脱しない範囲における設計の変更などがあっても発明に含まれる。
例えば、底壁に形成された開口は方形に限らず、例えば円形にしてもよい。
また、礫層は砕石に限らず、コンクリート片、粒状のセラミック等で構成してもよい。
第一の実施の形態では、地下浸透型水路ブロック１と非透水型水路ブロック１５を配設する割合を１：２としたが、本発明はこれに限定されず、水路１４を流れる水の量、地下へ浸透させる水の量などを勘案して、適宜変更できる。
【産業上の利用可能性】
【００２３】
地下浸透型水路ブロックの製造業や、地下浸透型水路ブロックを用いた水路の施工業等に利用可能性を有する。
【符号の説明】
【００２４】
１…地下浸透型水路ブロック        ３…水路ブロック本体
５…側壁                          ７…底壁
８…底壁                        １０…側壁
９…開口                        １１…立ち上がり部
１２…礫層                        １３…導水路
１４、２４…水路                  １５…非透水型水路ブロック
１７…地下浸透型水路ブロック      １９…底部
２０…前端部                      ２１…開口側端部
２３…段差                        ２５…地下浸透型水路ブロック
２７…補強部
Ｍ…溝          Ｓ…砕石            Ｃ…捨てコンクリート
Ｗ…水          Ｇ…ヘドロやゴミ    Ｕ…地下
【図１】
2015031130.tif 000003
【図２】
2015031130.tif 000004
【図３】
2015031130.tif 000005
【図４】
2015031130.tif 000006
【図５】
2015031130.tif 000007
【図６】
2015031130.tif 000008
【図７】
2015031130.tif 000009
【図８】
2015031130.tif 000010
【図９】
2015031130.tif 000011
【図１０】
2015031130.tif 000012
【図１１】
2015031130.tif 000013